(57)【要約】【課題】方立に簡単に取り付けでき且つ足場解体時には容易に撤去できる足場つなぎ具及び外壁を提供する。【解決手段】本発明にかかる足場つなぎ具９は、ナット１３と、保持部材１５と、方立挟着具１７とを備え、ナット１３は足場側ボルト１１をねじ込むものであり、保持部材１５は左右の側壁１５ａ、１５ｂと底壁１５ｃとからなる略コ字形状を成し、底壁１５ｃの方立側に頭部２３ａを配置して底壁１５ｃを挿通した固定ボルト２３でナット１３を左右側壁１５ａ、１５ｂ間に保持するものであり、方立狭着具１７は、方立左狭着部材１７ａと方立右狭着部材１７ｂからなり、方立左狭着部材１７ａと方立右狭着部材１７ｂが保持部材１５の左右の側壁１５ａ、１５ｂに左右側から当接して保持部材１５を挟んで、締結ボルト２５と締結ナット２７で締結固定してある。【選択図】図１
2018138729.tif 000002
【特許請求の範囲】
【請求項１】
ナットと、保持部材と、方立挟着具とを備え、ナットは足場側ボルトをねじ込むものであり、保持部材は左右の側壁と底壁とからなる略コ字形状を成し、底壁の方立側に頭部を配置して底壁を挿通した固定ボルトでナットを左右側壁間に保持するものであり、方立狭着具は、方立左狭着部材と方立右狭着部材からなり、方立左狭着部材と方立右狭着部材が保持部材の左右の側壁に左右側から当接して保持部材を挟んで、締結ボルトと締結ナットで締結固定してあることを特徴とする足場つなぎ具。
【請求項２】
足場と方立を請求項１に記載の足場つなぎ具で連結したことを特徴とする外壁。
【発明の詳細な説明】
【技術分野】
【０００１】
本発明は、足場つなぎ具及び外壁に関する。
【背景技術】
【０００２】
特許文献１には、上下に配置した方立の中空内に挿入して上下の方立を連結するスリーブジョイントに、予め足場側ボルトの挿入孔を形成しておくと共に挿入孔に対応した位置に足場側ボルトが螺合するナットを溶接固定することが開示されている。
【先行技術文献】
【特許文献】
【０００３】
【特許文献１】特開２００３−３４３０８２号公報
【発明の概要】
【発明が解決しようとする課題】
【０００４】
しかし、特許文献１の技術では、足場側ボルトの取付け位置が限られていると共に、スリーブジョイントに予め孔をあけたり、ナットを溶接しておく必要があるので、足場側ボルトの取付けの為の作業が面倒になるという問題があった。  
これに対して、ビル等の施工現場において足場と方立を容易に連結でき、しかも足場解体時には容易に撤去できるものが求められていた。  
【０００５】
そこで、本発明は、方立に簡単に取り付けでき且つ足場解体時には容易に撤去できる足場つなぎ具及び外壁の提供を目的とする。  
【課題を解決するための手段】
【０００６】
請求項１に記載の発明は、ナットと、保持部材と、方立挟着具とを備え、ナットは足場側ボルトをねじ込むものであり、保持部材は左右の側壁と底壁とからなる略コ字形状を成し、底壁の方立側に頭部を配置して底壁を挿通した固定ボルトでナットを左右側壁間に保持するものであり、方立狭着具は、方立左狭着部材と方立右狭着部材からなり、方立左狭着部材と方立右狭着部材が保持部材の左右の側壁に左右側から当接して保持部材を挟んで、締結ボルトと締結ナットで締結固定してあることを特徴とする足場つなぎ具である。
【０００７】
請求項２に記載の発明は、足場と方立を請求項１に記載の足場つなぎ具で連結したことを特徴とする外壁である。
【発明の効果】
【０００８】
請求項１及び２に記載の発明によれば、底壁にナットを固定ボルトで止めた保持部材を方立左狭着部材と方立右狭着部材とで左右から挟んで、締結ボルトと締結ナットで締結固定するだけであるから、足場つなぎ具の方立への取り付けが簡単にできる。  
また足場解体時には、締結ボルトと締結ナットとの締結を外すだけで足場つなぎ具を容易に撤去できる。  
【図面の簡単な説明】
【０００９】
【図１】本実施の形態にかかる足場つなぎ具を方立に取り付けた状態を示す図であり、（ａ）は側面図、（ｂ）は正面図、（ｃ）は（ａ）に示すＡ−Ａ断面図である。
【図２】本実施の形態にかかる足場つなぎ具を方立に装着した状態を示す斜視図であり、図３に示すＥ部の拡大図である。
【図３】図１０に示す建物の方立と無目を抜き出して示す斜視図である。
【図４】方立右挟着部材の図であり、（ａ）は側面図、（ｂ）は（ａ）に示すＦ−Ｆ断面図、（ｃ）は足場側から見た正面である。
【図５】保持部材の図であり、（ａ）は側面図、（ｂ）は方立側から見た背面図、（ｃ）は（ａ）に示すＧ−Ｇ断面図である。
【図６】固定ボルトの図であり、（ａ）は側面図、（ｂ）は方立側から見た背面図である。
【図７】ナットの図であり、（ａ）は側面図、（ｂ）は足場側から見た正面図である。
【図８】ゴム板の図であり、（ａ）は側面図、（ｂ）は足場側から見た正面図である。
【図９】スポンジパッドの図であり、（ａ）は側面図、（ｂ）は端面の正面図である。
【図１０】建物に足場を組んだ状態を示す図であり、（ａ）は正面図、（ｂ）は（ａ）に示すＢ−Ｂ断面図、（ｃ）は（ａ）に示すＣ−Ｃ断面図である。
【発明を実施するための形態】
【００１０】
以下に、添付図面を参照して本発明の実施の形態を説明する。  
図１０に、建築中のカーテンウォール工法の建物１を示す。この建物１の周囲には、足場３が組んである。建物１には、その外壁５を構成する方立７に足場つなぎ具９（図２及び図３参照）が固定してあり、足場つなぎ具９に足場３に固定した足場側ボルト１１を連結している。  
本実施の形態では、足場つなぎ具９は、図１０（ｂ）（ｃ）及び図３に示すように、建物１の各階の天井付近及びフロアー付近で所定の方立７に取り付けてある。  
【００１１】
図１及び図２に示すように、足場つなぎ具９は、ナット１３と、保持部材１５と、方立挟着具１７とを備えている。  
図１（ａ）（ｃ）に示すように、ナット１３は足場側ボルト１１をねじ込むものであり、図７に示すように高ナットである。  
図１及び図５に示すように、保持部材１５は、左側壁１５ａ、右側壁１５ｂと、底壁１５ｃとからなる略コ字形状を成している。図５に示すように、左側壁１５ａ及び右側壁１５ｂには長手方向に間隔をあけて２つのボルト挿通孔１９が形成されている。底壁１５ｃには長手方向の略中央にボルト挿通孔２１が形成されている。  
また、図１に示すように、左側壁１５ａ及び右側壁１５ｂで上述したナット１３の側面を挟んで保持している。  
図１（ａ）及び図６に示すように、底壁１５ｃのボルト挿通孔２１には、頭部２３ａを方立７側に配置した固定ボルト２３の軸部２３ｂが挿通されている。  
【００１２】
図１（ｂ）に示すように、方立挟着具１７は、方立左狭着部材１７ａと方立右狭着部材１７ｂから構成されている。方立左挟着部材１７ａと方立右挟着部材１７ｂで、上述した保持部材１５を挟んで締結ボルト２５と締結ナット２７で締結してある。尚、保持部材１５において、締結ボルト２５の軸部２５ｂには、頭部２５ａとの間に右側壁１５ｂ及び方立右挟着部材１７ｂを止める補助ナット２８が螺合してある。  
図４には方立右挟着部材１７ｂを示しているが、方立左挟着部材１７ａは方立右挟着部材１７ｂと同じ構成であるから、以下の説明では、方立右挟着部材１７ｂについて説明し、方立左挟着部材１７ａには同一の作用効果を奏する部分には同一の符号を付して説明を省略する。  
方立右挟着部材１７ｂは、方立７の正面側壁７ａの右端７ｃに係止する方立係止部２９と、方立７の正面側壁７ａの正面に当接する方立当接部３０と、方立当接部３０から足場側に突設し、保持部材１５の右側壁１５ｂに右側から当接する保持部材当接部３１とが一体に形成されている。  
方立係止部２９には方立７の正面側壁７ａの右端１５ｃを入れ込む溝２９ａが形成されている。  
保持部材当接部３１には互いに間隔をあけて締結ボルト２５の軸部２５ｂを挿通するボルト挿通孔３３が形成されている。  
尚、方立左挟着部材１７ｂでは、方立係止部２９は正面側壁７ａの左端７ｂに係止し、保持部材当接部３１は保持部材１５の左側壁１５ａに左側から当接する。  
【００１３】
図１（ｃ）に示すように、固定ボルト２３の頭部２３ａと方立７の正面側壁７ａとの間と、方立左挟着部材１７ａ及び方立右挟着部材１７ｂの各方立当接部３０と方立７の正面側壁７ａとの間には、図８に示すゴム板３５が介在されている。ゴム板３５には、接着テープが貼付されている。また、各方立係止部２９と対応する方立７の左端７ｂ及び右端７ｃとの間には、図９に示すスポンジパッド３７が挟まれている。  
【００１４】
次に、足場つなぎ具９の取り付けについて説明する。  
図１に示すように、保持部材１５の左右の側壁１５ａ、１５ｂ間にナット１３を配置し、保持部材１５の底壁１５ｃのボルト挿通孔２１に方立７側から固定ボルト２３の軸部２３ｂを挿通して、挿通した軸部２３ｂをナット１３に途中まで螺合する。このようにして、保持部材１５に固定ボルト２３とナット１３とを取り付ける。  
固定ボルト２３の頭部２３ａにはゴム板３５を貼りつける。  
また、方立左挟着部材１７ａと方立右挟着部材１７ｂとの各方立係止部２９の溝２９ａには、スポンジパッド３７を嵌め、固定ボルト２３の頭部２３ａと方立左挟着部材１７ａ及び方立右挟着部材１７ｂの各方立当接部３０にゴム板３５を貼付する。  
次に、ゴム板３５付きの固定ボルト２３の頭部２３ａを方立７の正面側壁７ａの正面に当てる。この状態で、方立左挟着部材１７ａの方立係止部２９の溝２９ａを方立７の正面側壁７ａの左端７ｂに嵌めて、方立左挟着部材１７ａの保持部材当接部３１を保持部材１５の左側壁１５ａに左側から当てて、方立右挟着部材１７ｂを方立７の正面側壁７ａの右端７ｃに嵌めて、方立右挟着部材１７ｂの保持部材当接部３１を保持部材１５の右側壁１５ｂに右側から当てて、保持部材１５を方立左挟着部材１７ａと方立右挟着部材１７ｂとで左右から挟む。  
その後、締結ボルト２５の軸部２５ｂを方立右挟着部材１７ｂのボルト挿通孔３３、保持部材１５の右側壁１５ｂのボルト挿通孔１９に挿通して補助ナット２８を螺合して、方立右挟着部材１７ｂの保持部材１５の右側壁１５ｂを補助ナット２８と締結ボルト２５の頭部２５ａで挟んだ後、更に、締結ボルト２５の軸部２５ｂを保持部材１５の左側壁１５ａのボルト挿通孔１９及び方立左挟着部材１７ａのボルト挿通孔３３に挿通して、軸部２５ｂに締結ナット２７を螺合して、締結ナット２７及び補助ナット２８を締め付ける。
一方、足場側ボルト１１の取付けは、図１（ａ）（ｃ）に示すように、ナット１３に足場側ボルト１１をねじ込んで取り付ける。  
【００１５】
足場３を解体するときには、ナット１３にねじ込んだ足場側ボルト１１をナット１３から外す。  
足場つなぎ具９の撤去は、締結ナット２７と補助ナット２８と締結ボルト２５を方立挟着具１７から緩めて、続いて方立７から方立左挟着部材１７ａ及び方立右挟着部材１７ｂを外すと共に保持部材１５を各々ゴム板３５と共に外す。  
【００１６】
次に、足場つなぎ具９の作用効果を説明する。  
図１及び図２に示すように、本実施の形態にかかる足場つなぎ具９よれば、底壁１５ｃにナット１３を固定ボルト２３で止めた保持部材１５を方立左狭着部材１７ａと方立右狭着部材１７ｂとで左右から挟んで、締結ボルト２５と締結ナット２７で締結固定するだけであるから、方立７への取り付けが簡単にできる。  
また足場解体時には、締結ボルト２５と、締結ナット２７及び補助ナット２８との締結を緩めるだけで容易に撤去できる。  
【００１７】
ナット１３は固定ボルト２３で止めてあり、溶接してないので、生産効率の向上でコストダウンが図れる。品質も安定なものにできる。  
保持部材１５の左右の側壁１５ａ、１５ｂ間にナット１３を設けているから、ナット１３の回転を防止できる。また、ナット１３の横ズレを抑え安定してナット１３を保持できる。  
方立左挟着部材１７ａ及び方立右挟着部材１７ｂは、保持部材１５の左右の側壁１５ａ、１５ｂに左右から当接するから方立左挟着部材１７ａと方立右挟着部材１７ｂと間の幅をスライド調整自在なため、幅の異なる保持部材１５を用意することで、様々な方立７に対応できる。  
足場解体時、足場つなぎ具９は全て撤去できるから、使いまわしが可能である。  
方立左挟着部材１７ａ及び方立右挟着部材１７ｂで、方立７の正面側壁７ａの左右端７ｂ、７ｃを挟む構成であるから、方立７の正面側壁７ａの上下方向任意の位置に取付けできる。  
締結ボルト２５には補助ナット２８を螺合して、締結ボルト２５の頭部２５ａと補助ナット２８で保持部材１５の右側壁１５ｂを止めているから、締結ナット２７の締め付けによる左右の側壁１５ａ、１５ｂの変形を防止できる。  
固定ボルト２３の頭部２３ａと方立７の正面側壁７ａとの間と、方立左挟着部材１７ａ及び方立右挟着部材１７ｂの各方立当接部３０と方立７の正面側壁７ａとの間には、ゴム板３５が介在されているから、足場つなぎ具で方立７が傷つくのを防止できる。  
【００１８】
本発明は、上述した実施の形態に限らず、本発明の要旨を逸脱しない範囲で種々変形可能である。  
方立左挟着部材１７ａ及び方立右挟着部材１７ｂの各方立係止部２９は、溝２９ａに限定されず、平面視Ｌ字形状に形成しても良いし、方立７を各々左右側から係止するものであれば良い。  
【符号の説明】
【００１９】
３    足場
５    外壁
７    方立
９    足場つなぎ具
１３  ナット
１５  保持部材
１５ａ  左側壁
１５ｂ  右側壁
１５ｃ  底壁
１７  方立挟着具
１７ａ  方立左挟着部材
１７ｂ  方立右挟着部材
２３  固定ボルト
２３ａ  頭部
２５  締結ボルト
２７  締結ナット
【図１】
2018138729.tif 000003
【図２】
2018138729.tif 000004
【図３】
2018138729.tif 000005
【図４】
2018138729.tif 000006
【図５】
2018138729.tif 000007
【図６】
2018138729.tif 000008
【図７】
2018138729.tif 000009
【図８】
2018138729.tif 000010
【図９】
2018138729.tif 000011
【図１０】
2018138729.tif 000012